(57)【要約】【課題】冷蔵庫の冷気を利用して、キッチン内スペースを保冷庫として利用する保冷システムを提供する。【解決手段】冷気を生成する冷蔵庫２と、冷蔵庫２から冷気を供給する冷気供給手段５と、供給手段５と連通し保冷庫３，４に冷気を搬送する冷気搬送手段７と、被保冷物を収納する保冷庫３，４と、保冷庫３，４から保冷庫３，４内の空気を冷蔵庫２に戻すための空気循環手段８とからなる保冷システム１であって、冷気搬送手段７と空気循環手段８とがキッチンの床下に配設されている。【選択図】図１
2019049392.tif 000002
【特許請求の範囲】
【請求項１】
冷気を生成する冷蔵庫と、被保冷物を収納する保冷庫と、前記冷蔵庫から冷気を供給する冷気供給手段と、該冷気供給手段と連通し前記保冷庫に冷気を搬送する冷気搬送手段と、前記保冷庫から気体を前記冷蔵庫に戻すための空気循環手段とからなる保冷システムであって、前記冷気供給手段と、前記冷気搬送手段と、前記空気循環手段とがキッチンの床下に配設されていることを特徴とする保冷システム。
【請求項２】
前記保冷庫がキッチンの床下に埋設されていることを特徴とする請求項１に記載の保冷システム。
【請求項３】
前記保冷庫がシステムキッチンの一画に内設されていることを特徴とする請求項１から請求項２のいずれか１項に記載の保冷システム。
【請求項４】
前記保冷庫の内壁の側面において、内壁の上面と前面が交差する交点近傍に配設された冷気取入れ口と、前記保冷庫の内壁の側面において、内壁の上面と後面が交差する交点近傍に配設された保冷庫内の気体を冷蔵庫へ戻す排気口と、前記冷気取入れ口と前記排気口の間を連通し保冷庫の内壁に渦巻き状に形成された冷気誘導条溝とを有することを特徴とする請求項１から請求項３のいずれか１項に記載の保冷システム。
【請求項５】
前記冷気取入れ口に連設し、分岐した冷気取入れ開口部が前記保冷庫の内壁の所要位置に配設されていることを特徴とする請求項１から請求項４のいずれか１項に記載の保冷システム。
【請求項６】
前記保冷庫に着脱自在に納置された内収納容器を有し、該内収納容器と前記保冷庫の内壁との間には、冷気が流通可能な間隙を有していることを特徴とする請求項１から請求項５のいずれか１項に記載の保冷システム。
【発明の詳細な説明】
【技術分野】
【０００１】
本発明は、冷蔵庫の冷気を利用した保冷システムに関し、特に、キッチンにおける保冷を必要とする食品を保存する為に用いられる、保冷システムに関するものである。
【背景技術】
【０００２】
近年日本においては、食文化の多様化や国際化などに伴い、食料品を貯蔵する容量が増大する傾向にある。
その傾向に対応する為に、冷蔵庫の大型化や容量効率化など開発が進められてきたが、その大型冷蔵庫は相当の設置スペースが必要であり、現在日本の住宅事情を考慮するとその設置スペースを確保するには限界がある。
【０００３】
そこで、貯蔵温度が比較的高くても腐敗しない食品等を選択し、システムキッチンに組み込まれている収納、床下収納、または、食品棚等を設けその食品を貯蔵することが一般的であった。
【０００４】
このような問題に対し、特許文献１には、システムキッチン組み込み式冷蔵庫が開示されている。すなわち、特許文献１に記載されている冷蔵庫はシステムキッチンの一画に設置される引き出し式の冷蔵庫であって、冷却ユニットも一緒に集中配置されている。
【０００５】
また、特許文献２には、コンパクトで床下スペースへの組み込みが容易な冷却機能付床下収納庫が開示されている。その冷却機能付床下収納庫は、ボックス（収納部）の外周面にペルチェ素子を取り付け、そのペルチェ素子の外側には放熱フィンと、放熱ファンとを配置し、専用の電源ユニットと、ペルチェ素子以外部分を断熱材で覆い包んだ構成としている。
【０００６】
さらに、特許文献３には、必要に応じて数量と配列位置を自由にアレンジして組み立てられる、組立式冷蔵庫が開示されている。その組立式冷蔵庫は、低温気体（冷気）を発生するメインボックスと、連結固定装置で連結された箱体と、冷気を送り込む通気管路と、コンプレッサとファンとで構成される冷蔵庫である。
【先行技術文献】
【特許文献】
【０００７】
【特許文献１】特開２００６−１０２０５号公報
【特許文献２】特開平１１−１１８３１３号公報
【特許文献３】特開２００９−１６２４７２号公報
【発明の概要】
【発明が解決しようとする課題】
【０００８】
しかし、特許文献１に記載のシステムキッチン組み込み式冷蔵庫では、専用の冷却ユニットを配置することからデットスペースが必要となり、スペースを有効に使用できないという問題があった。また、その冷却ユニットから出る暖気された気体を排気する為に、キッチン自体が温められる問題もあった。
【０００９】
また、特許文献２に記載の冷却機能付床下収納庫は、専用の電源ユニットを使用することや、冷却方法としてペルチェ素子を使用する為に、比較的に大きな消費電力量が必要となる問題があった。
【００１０】
さらに、特許文献３に記載の組立式冷蔵庫は、必要に応じて設置個数を選択できるものの、小型の冷蔵庫を追加していることと結果的に同じであり、キッチン内のスペースを有効に使用する観点からは問題の改善が期待できない。
【００１１】
本発明は、上記課題を鑑みてなされたものであり、その具体的目的は、冷蔵庫の冷気を有効に利用して、キッチン内スペースを保冷庫として利用する保冷システムを提供することを目的とする。
【課題を解決するための手段】
【００１２】
本発明は、上記目的を達成するために案出されたものである。詳述するならば冷気を生成する冷蔵庫と、該冷蔵庫から冷気を供給する冷気供給口と該冷気供給口と連通し冷気を分配する切換え弁とからなる冷気供給手段と、該冷気供給手段と連通し保冷庫に冷気を搬送する搬送手段と、被保冷物を収納するとともに断熱材内に真空断熱材を埋設した保冷庫と、該保冷庫から該保冷庫内の気体を前記冷蔵庫に戻すための空気循環手段とからなる保冷システムであって、前記冷気供給手段と、前記冷気搬送手段及び、空気循環手段がキッチンの床下に配設される構成からなる。
【００１３】
本発明の保冷システムでは、冷蔵庫の冷気を使用するので、保冷庫毎に冷却装置を設置するスペースが必要にならず、また、冷気搬送手段を床下に配設することでスペースを有効に使用できる効果が得られる。
【００１４】
本発明には、前記保冷庫がキッチンの床下収納に埋設されている構成が含まれる。
【００１５】
本発明の保冷システムは、保冷庫を床下収納に埋設する構成となっているので、床下収納を増設すれば、比較的容易に保冷スペースを増加することができる効果がある。
【００１６】
さらに、本発明には、前記保冷庫がシステムキッチンの一画に内設されている構成が含まれる。
【００１７】
本発明の保冷システムは、保冷庫をシステムキッチンの一画に内設する構成となっているので、既存のスペースを有効に保冷庫として使用でき、不要の場合は冷気供給手段に内設された切換え弁を閉鎖することで、通常の収納庫として使用することもできる効果がある。
【００１８】
本発明には、前記保冷庫の内壁の側面において、内壁の上面と前面が交差する交点近傍に配設された冷気取入れ口と、前記保冷庫の内壁の側面において内壁の上面と後面が交差する交点近傍に配設された保冷庫内の気体を冷蔵庫へ戻す排気口と、前記冷気取入れ口と前記排気口の間を繋ぎ保冷庫の内壁で渦巻き状に形成された冷気誘導条溝とを有する構成が含まれる。
【００１９】
本発明の保冷システムは、冷気取入れ口が保冷庫の内壁の上面近傍に配設されており、さらに内壁の側面から上面、上面から側面、側面から底面とに及ぶ渦巻き状に形成された冷気誘導条溝に連通しているので、冷蔵庫から供給された冷気が渦巻き状の流れとなり、保冷庫全体を略均一温度になす効果が得られ、最終的に冷気取り入れ口から離れた位置の保冷庫上部に溜まる比較的暖かい気体を排気口から空気循環手段を介して冷蔵庫へ戻すことができる。
【００２０】
本発明には、前記冷気取入れ口に連設し、保冷庫の内壁に埋設された筒状からなり其々分岐した冷気取入れ開口部が、保冷庫内壁の冷気取入れ口と対向する側面の内壁の前面側上部近傍と、前記冷気取入れ口と前記排気口との前後方向の略中間位置の側面の内壁上部近傍と、前記排気口と対向する側面の内壁の後面側上部近傍とに開口し、冷気を保冷庫内に取り入れる構成が含まれる。
【００２１】
本発明の保冷システムは、冷気取入れ口に連設された冷気取入れ開口部が、保冷庫内の複数個所に分散して配置され、冷気を保冷庫内に取り入れる構成となっているので、保冷庫内の温度を均一にするための効果が期待できる。
【００２２】
本発明には、前記保冷庫に着脱自在に納置された内収納容器を有し、該内収納容器と前記保冷庫の内壁との間には、冷気が流通可能な間隙を有している構成が含まれる。
【００２３】
本発明の保冷システムは、被保冷物が保冷庫内の冷気の流れをせき止めてしまうことを防止し、冷気を効率的に利用し保冷庫内の温度を均一に保つ効果がある。
【発明の効果】
【００２４】
本発明の保冷システムは、冷蔵庫の冷気を効率よく利用して、キッチン内のスペースを保冷庫として使用することで、食料品の貯蔵容量が増大した時に対応することができるという効果がある。
【図面の簡単な説明】
【００２５】
【図１】本発明に係る保冷システムの実施形態を示す斜視図である。
【図２】本発明の第４実施形態に係る保冷庫の実施形態を示す平面図である。
【図３】図２に示す保冷庫のＡ-Ａ断面図を示す側面図である。
【図４】図２に示す保冷庫のＤ-Ｄ断面図を示す側面図である。
【図５】本発明の第５実施形態に係る保冷庫の実施形態を示す平面図である。
【図６】図４に示す保冷庫のＢ-Ｂ断面図を示す側面図である。
【図７】図４に示す保冷庫のＣ-Ｃ断面図を示す側面図である。
【図８】本発明の第６実施形態に係る保冷庫の実施形態を示す断面図である。
【発明を実施するための形態】
【００２６】
以下、本発明の実施形態を図面を参照しながら説明する。
なお、本実施形態において、床下に設置した保冷庫において、床面側を上面とし、上面と対向する面を底面とし、搬送パイプが接続されている面と、その面と対向する面とをいずれも側面とし、側面と垂直方向の２面をそれぞれ前面、後面という。
【００２７】
（第１実施形態）
図１に示されるように、本発明に係る保冷システム１は、冷気を生成し保冷庫３，４に冷気を供給する冷蔵庫２と、その冷蔵庫２から冷気を供給する冷気供給口５とその冷気供給口と連通し冷気を分配する開閉自在の切換え弁からなる分配機６と、その分配機６と連通し保冷庫３，４に冷気を搬送する搬送パイプ７と、被保冷物を収納する保冷庫３，４と、その保冷庫３，４から保冷庫３，４内の比較的暖まった気体を分配機６に戻すための空気循環パイプ８と、分配機６から冷蔵庫２に戻すための空気循環口９とからなる。
すなわち分配機６は、冷気を保冷庫３，４に分配し供給することと、暖気を冷蔵庫２に戻す循環の役目をはたすこととなる。
【００２８】
冷蔵庫２は、冷気を生成するモーターや圧縮機等から成る冷気生成部（図示せず）と、冷蔵庫２の内部にある例えば、野菜室、冷蔵室、または冷蔵庫２の外部に設置する保冷庫３，４等に、冷気を分配する冷気分配部（図示せず）と、冷蔵庫２の下部に伸びる冷気供給口５と保冷庫３，４の気体を戻す為の空気循環口９とで構成されている。
【００２９】
その冷気供給口５に連通する分配機６をキッチン床下に配置し、その分配機６を介して並列に配置された保冷庫３，４に冷気を搬送するためにキッチン床下に配設された搬送パイプ７と、保冷庫３，４の空気を分配機６に戻す空気循環パイプ８とをキッチン床下に配設された構成となっている。
【００３０】
また、図２に示すように、本発明の保冷庫３，４は、被保冷物を収納するとともに断熱材１０に真空断熱材１１を埋設した構成となっている。
【００３１】
（第２実施形態）
図１に示すように、本実施形態の保冷庫３は、キッチン床下に埋設されており、上蓋１２には開閉用の取手１３が伸縮自在に埋設されている。
【００３２】
（第３実施形態）
さらに、本実施形態の保冷庫４は、システムキッチンの一画である流し台下部に内設され、保冷庫４の前面には、蓋体２９が開閉自在に付設され、その蓋体２９には開閉用のハンドル部１４が付設されている。
【００３３】
（第４実施形態）
本実施形態の保冷庫３は、図２、図３及び図４に示すように保冷庫３の内壁の側面１５において、内壁の上面３１と前面３３とが交差する交点近傍に配設された冷気取入れ口１６と、その冷気取り入れ口１６の外壁３４には吸気ファン１９が連設され、保冷庫３の内壁の側面１５において、内壁の上面３１と後面３５とが交差する交点近傍に配設された保冷庫３内の気体を冷蔵庫２へ戻す排気口１７と、その排気口１７の外壁３４には排気ファン２０が配設され、冷気取入れ口１６から排気口１７とを繋ぎ、保冷庫３の内壁における側面１５、上面３１、底面３２、側面１５に及ぶ渦巻き状に形成された冷気誘導条溝１８と、その冷気取り入れ口１６近傍には、冷気を冷気誘導条溝１８に導くガイド板３０が付設される構成となっている。
【００３４】
また、冷気誘導条溝１８には、側面１５から上面３１への接続部に冷気が滞りなく流れる様に曲面２６が配設されている。また、それと同様に、上面３１から側面１５の接続部、側面１５から底面３２への接続部や底面３２から側面１５への接続部にも同じく曲面２６が配設されている。
【００３５】
（第５実施形態）
本実施形態の保冷庫３は、図５、図６及び図７に示す様に、冷気取入れ口１６に連設し保冷庫３の内壁に埋設された筒状からなり、其々分岐し先端部が開口した冷気取入れ開口部２２，２３，２４が形成されている。
その冷気取入れ開口部２３は、保冷庫３の内壁において、冷気取入れ口１６と対向する側面１５の前面３３と上面３１とが交差する近傍に配設され、また、冷気取入れ開口部２４は、冷気取入れ口１６と排気口１７との前後方向の略中間位置の側面１５の上面３１近傍に配設され、さらに、冷気取入れ開口部２２は、排気口１７と対向する側面１５の上面３１と後面３５が交差する交点近傍配設されている。
【００３６】
（第６実施形態）
図８に示されるように、本実施形態に係る保冷庫３は、保冷庫３に着脱自在に納置された内収納容器２５を有し、その内収納容器２５と保冷庫３の側面１５、上面３１、底面３２、前面３３、後面３５との間には、冷気が通過可能な間隙を有する構成となっている。
また、内収納容器２５の底辺部に冷気取り入れ可能な通気口２７を有し、同じく内収納容器２５の天井部にも冷気取り入れ可能な通気口２８を有している。
【００３７】
以上のように構成された保冷システム１について、以下にその動作、作用、用途等を説明する。
【００３８】
まず、保冷を要する食料品としては、野菜、ワイン等の飲料品、米、キムチ等の漬物類等多品種に及び、各々適正な温度域に管理するために温度センサーを保冷庫３，４に設置するなどして、吸気ファン１９、排気ファン２０、分配機６を制御する。
【００３９】
また、被保冷物が野菜やワイン類等の湿度を要するものは、乾燥を避けるために大量の冷気が被保冷物に直接あたらないように、上記実施形態の様に例えば樹脂製の内収納容器２５を形成して、通気口２７，２８を設ければ良く、直接冷気があたった方が良い被保冷物の場合の内収納容器２５は、金属の線材等で形成した籠状の内収納容器２５で良い。
【００４０】
以上のように本発明よれば、保冷庫、搬送パイプ、空気循環パイプや分配機等を床下に埋設する構成となっているので、床下収納を増設すれば、比較的容易に保冷スペースを確保することができる。
【００４１】
この発明によれば保冷庫は、システムキッチンの一画に内設する構成となっているので、既存のスペースを有効に保冷庫として使用でき、不要の場合は分配機に内設された切換え弁を閉鎖することで、通常の収納庫として使用することもできる。
【００４２】
この発明によれば、冷気誘導条溝を使用するもしくは、冷気取入れ開口部を複数配設すること、合わせて内収納容器を利用することで、冷気を有効に利用できる効果がある。
【００４３】
以上のように、本発明を実施するための最良の構成、方法等は、上記記載で開示されているが、本発明は、これに限定されるものではない。
例えば、上記実施形態では、保冷庫は、略矩形状として説明したが、その構成に限定するものではなく、例えば、円筒形の保冷庫であっても良い。
【００４４】
また、上記実施形態では、保冷庫は床下もしくはシステムキッチンの一画に配置するとして説明したが、その構成に限定するものではなく、例えば分配機から冷気を取り出すための搬送パイプを取り付けるジョイント部と、空気循環パイプを取り付ける排気ジョイント部とを床面に設け、クーラーボックス等の保冷庫を各パイプで接続することで設置可能とする構成としても良い。
【符号の説明】
【００４５】
１    保冷システム
２    冷蔵庫
３，４    保冷庫
５    冷気供給口
６    分配機
７    搬送パイプ
８    空気循環パイプ
９    空気循環口
１０    断熱材
１１    真空断熱材
１２    上蓋
１３    取手
１４    ハンドル部
１５    側面
１６    冷気取入れ口
１７    排気口
１８    冷気誘導条溝
１９    吸気ファン
２０    排気ファン
２２，２３，２４    冷気取入れ開口部
２５    内収納容器
２６    曲面
２７，２８    通気口
２９    蓋体
３０    ガイド板
３１    上面
３２    底面
３３    前面
３４    外壁
３５    後面
【図１】
2019049392.tif 000003
【図２】
2019049392.tif 000004
【図３】
2019049392.tif 000005
【図４】
2019049392.tif 000006
【図５】
2019049392.tif 000007
【図６】
2019049392.tif 000008
【図７】
2019049392.tif 000009
【図８】
2019049392.tif 000010
【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
冷気を生成する冷蔵庫と、被保冷物を収納する保冷庫と、前記冷蔵庫から冷気を供給する冷気供給手段と、該冷気供給手段と連通し前記保冷庫に冷気を搬送する冷気搬送手段と、前記保冷庫から気体を前記冷蔵庫に戻すための空気循環手段とからなる保冷システムであって、前記保冷庫は、内壁の側面において内壁の上面と前面が交差する交点近傍に配設された冷気取入れ口と、前記保冷庫の内壁の側面において内壁の上面と後面が交差する交点近傍に配設された保冷庫内の気体を冷蔵庫へ戻す排気口と、前記冷気取入れ口と前記排気口の間を連通し保冷庫の内壁に渦巻き状に形成された冷気誘導条溝とを有し、前記冷気供給手段と、前記冷気搬送手段と、前記空気循環手段とがキッチンの床下に配設されていることを特徴とする保冷システム。
【請求項２】
前記保冷庫がキッチンの床下に埋設されていることを特徴とする請求項１に記載の保冷システム。
【請求項３】
前記保冷庫がシステムキッチンの一画に内設されていることを特徴とする請求項１から請求項２のいずれか１項に記載の保冷システム。
【請求項４】
前記保冷庫に着脱自在に納置された内収納容器を有し、該内収納容器と前記保冷庫の内壁との間には、冷気が流通可能な間隙を有していることを特徴とする請求項１から請求項３のいずれか１項に記載の保冷システム。
【手続補正２】
【補正対象書類名】明細書
【補正対象項目名】全文
【補正方法】変更
【補正の内容】
【発明の詳細な説明】
【技術分野】
【０００１】
本発明は、冷蔵庫の冷気を利用した保冷システムに関し、特に、キッチンにおける保冷を必要とする食品を保存する為に用いられる、保冷システムに関するものである。
【背景技術】
【０００２】
近年日本においては、食文化の多様化や国際化などに伴い、食料品を貯蔵する容量が増大する傾向にある。
その傾向に対応する為に、冷蔵庫の大型化や容量効率化など開発が進められてきたが、その大型冷蔵庫は相当の設置スペースが必要であり、現在日本の住宅事情を考慮するとその設置スペースを確保するには限界がある。
【０００３】
そこで、貯蔵温度が比較的高くても腐敗しない食品等を選択し、システムキッチンに組み込まれている収納、床下収納、または、食品棚等を設けその食品を貯蔵することが一般的であった。
【０００４】
このような問題に対し、特許文献１には、システムキッチン組み込み式冷蔵庫が開示されている。すなわち、特許文献１に記載されている冷蔵庫はシステムキッチンの一画に設置される引き出し式の冷蔵庫であって、冷却ユニットも一緒に集中配置されている。
【０００５】
また、特許文献２には、コンパクトで床下スペースへの組み込みが容易な冷却機能付床下収納庫が開示されている。その冷却機能付床下収納庫は、ボックス（収納部）の外周面にペルチェ素子を取り付け、そのペルチェ素子の外側には放熱フィンと、放熱ファンとを配置し、専用の電源ユニットと、ペルチェ素子以外部分を断熱材で覆い包んだ構成としている。
【０００６】
さらに、特許文献３には、必要に応じて数量と配列位置を自由にアレンジして組み立てられる、組立式冷蔵庫が開示されている。その組立式冷蔵庫は、低温気体（冷気）を発生するメインボックスと、連結固定装置で連結された箱体と、冷気を送り込む通気管路と、コンプレッサとファンとで構成される冷蔵庫である。
【先行技術文献】
【特許文献】
【０００７】
【特許文献１】特開２００６−１０２０５号公報
【特許文献２】特開平１１−１１８３１３号公報
【特許文献３】特開２００９−１６２４７２号公報
【発明の概要】
【発明が解決しようとする課題】
【０００８】
しかし、特許文献１に記載のシステムキッチン組み込み式冷蔵庫では、専用の冷却ユニットを配置することからデットスペースが必要となり、スペースを有効に使用できないという問題があった。また、その冷却ユニットから出る暖気された気体を排気する為に、キッチン自体が温められる問題もあった。
【０００９】
また、特許文献２に記載の冷却機能付床下収納庫は、専用の電源ユニットを使用することや、冷却方法としてペルチェ素子を使用する為に、比較的に大きな消費電力量が必要となる問題があった。
【００１０】
さらに、特許文献３に記載の組立式冷蔵庫は、必要に応じて設置個数を選択できるものの、小型の冷蔵庫を追加していることと結果的に同じであり、キッチン内のスペースを有効に使用する観点からは問題の改善が期待できない。
【００１１】
本発明は、上記課題を鑑みてなされたものであり、その具体的目的は、冷蔵庫の冷気を有効に利用して、キッチン内スペースを保冷庫として利用する保冷システムを提供することを目的とする。
【課題を解決するための手段】
【００１２】
本発明は、上記目的を達成するために案出されたものである。詳述するならば冷気を生成する冷蔵庫と、該冷蔵庫から冷気を供給する冷気供給口と該冷気供給口と連通し冷気を分配する切換え弁とからなる冷気供給手段と、該冷気供給手段と連通し保冷庫に冷気を搬送する搬送手段と、被保冷物を収納するとともに断熱材内に真空断熱材を埋設した保冷庫と、該保冷庫から該保冷庫内の気体を前記冷蔵庫に戻すための空気循環手段とからなる保冷システムであって、前記冷気供給手段と、前記冷気搬送手段及び、空気循環手段がキッチンの床下に配設される構成からなる。
また、前記保冷庫は、内壁の側面において、内壁の上面と前面が交差する交点近傍に配設された冷気取入れ口と、前記保冷庫の内壁の側面において内壁の上面と後面が交差する交点近傍に配設された保冷庫内の気体を冷蔵庫へ戻す排気口と、前記冷気取入れ口と前記排気口の間を繋ぎ保冷庫の内壁で渦巻き状に形成された冷気誘導条溝とを有する構成が含まれる。
【００１３】
本発明の保冷システムでは、冷蔵庫の冷気を使用するので、保冷庫毎に冷却装置を設置するスペースが必要にならず、また、冷気搬送手段を床下に配設することでスペースを有効に使用できる効果が得られる。
また、本発明の保冷システムは、冷気取入れ口が保冷庫の内壁の上面近傍に配設されており、さらに内壁の側面から上面、上面から側面、側面から底面とに及ぶ渦巻き状に形成された冷気誘導条溝に連通しているので、冷蔵庫から供給された冷気が渦巻き状の流れとなり、保冷庫全体を略均一温度になす効果が得られ、最終的に冷気取り入れ口から離れた位置の保冷庫上部に溜まる比較的暖かい気体を排気口から空気循環手段を介して冷蔵庫へ戻すことができる。
【００１４】
本発明には、前記保冷庫がキッチンの床下収納に埋設されている構成が含まれる。
【００１５】
本発明の保冷システムは、保冷庫を床下収納に埋設する構成となっているので、床下収納を増設すれば、比較的容易に保冷スペースを増加することができる効果がある。
【００１６】
さらに、本発明には、前記保冷庫がシステムキッチンの一画に内設されている構成が含まれる。
【００１７】
本発明の保冷システムは、保冷庫をシステムキッチンの一画に内設する構成となっているので、既存のスペースを有効に保冷庫として使用でき、不要の場合は冷気供給手段に内設された切換え弁を閉鎖することで、通常の収納庫として使用することもできる効果がある。
【００１８】
本発明には、前記保冷庫に着脱自在に納置された内収納容器を有し、該内収納容器と前記保冷庫の内壁との間には、冷気が流通可能な間隙を有している構成が含まれる。
【００１９】
本発明の保冷システムは、被保冷物が保冷庫内の冷気の流れをせき止めてしまうことを防止し、冷気を効率的に利用し保冷庫内の温度を均一に保つ効果がある。
【発明の効果】
【００２０】
本発明の保冷システムは、冷蔵庫の冷気を効率よく利用して、キッチン内のスペースを保冷庫として使用することで、食料品の貯蔵容量が増大した時に対応することができるという効果がある。
【図面の簡単な説明】
【００２１】
【図１】本発明に係る保冷システムの実施形態を示す斜視図である。
【図２】本発明に係る保冷庫の実施形態を示す平面図である。
【図３】図２に示す保冷庫のＡ-Ａ断面図を示す側面図である。
【図４】図２に示す保冷庫のＤ-Ｄ断面図を示す側面図である。
【図５】本発明の第４実施形態に係る保冷庫の実施形態を示す平面図である。
【発明を実施するための形態】
【００２２】
以下、本発明の実施形態を図面を参照しながら説明する。
なお、本実施形態において、床下に設置した保冷庫において、床面側を上面とし、上面と対向する面を底面とし、搬送パイプが接続されている面と、その面と対向する面とをいずれも側面とし、側面と垂直方向の２面をそれぞれ前面、後面という。
【００２３】
（第１実施形態）
図１に示されるように、本発明に係る保冷システム１は、冷気を生成し保冷庫３，４に冷気を供給する冷蔵庫２と、その冷蔵庫２から冷気を供給する冷気供給口５とその冷気供給口と連通し冷気を分配する開閉自在の切換え弁からなる分配機６と、その分配機６と連通し保冷庫３，４に冷気を搬送する搬送パイプ７と、被保冷物を収納する保冷庫３，４と、その保冷庫３，４から保冷庫３，４内の比較的暖まった気体を分配機６に戻すための空気循環パイプ８と、分配機６から冷蔵庫２に戻すための空気循環口９とからなる。
すなわち分配機６は、冷気を保冷庫３，４に分配し供給することと、暖気を冷蔵庫２に戻す循環の役目をはたすこととなる。
【００２４】
冷蔵庫２は、冷気を生成するモーターや圧縮機等から成る冷気生成部（図示せず）と、冷蔵庫２の内部にある例えば、野菜室、冷蔵室、または冷蔵庫２の外部に設置する保冷庫３，４等に、冷気を分配する冷気分配部（図示せず）と、冷蔵庫２の下部に伸びる冷気供給口５と保冷庫３，４の気体を戻す為の空気循環口９とで構成されている。
【００２５】
その冷気供給口５に連通する分配機６をキッチン床下に配置し、その分配機６を介して並列に配置された保冷庫３，４に冷気を搬送するためにキッチン床下に配設された搬送パイプ７と、保冷庫３，４の空気を分配機６に戻す空気循環パイプ８とをキッチン床下に配設された構成となっている。
【００２６】
また、図２に示すように、本発明の保冷庫３，４は、被保冷物を収納するとともに断熱材１０に真空断熱材１１を埋設した構成となっている。
【００２７】
さらに、本発明の保冷庫３，４は、図２、図３及び図４に示すように保冷庫３の内壁の側面１５において、内壁の上面３１と前面３３とが交差する交点近傍に配設された冷気取入れ口１６と、その冷気取り入れ口１６の外壁３４には吸気ファン１９が連設され、保冷庫３の内壁の側面１５において、内壁の上面３１と後面３５とが交差する交点近傍に配設された保冷庫３内の気体を冷蔵庫２へ戻す排気口１７と、その排気口１７の外壁３４には排気ファン２０が配設され、冷気取入れ口１６から排気口１７とを繋ぎ、保冷庫３の内壁における側面１５、上面３１、底面３２、側面１５に及ぶ渦巻き状に形成された冷気誘導条溝１８と、その冷気取り入れ口１６近傍には、冷気を冷気誘導条溝１８に導くガイド板３０が付設される構成となっている。
【００２８】
冷気誘導条溝１８には、側面１５から上面３１への接続部に冷気が滞りなく流れる様に曲面２６が配設されている。また、それと同様に、上面３１から側面１５の接続部、側面１５から底面３２への接続部や底面３２から側面１５への接続部にも同じく曲面２６が配設されている。
【００２９】
（第２実施形態）
図１に示すように、本実施形態の保冷庫３は、キッチン床下に埋設されており、上蓋１２には開閉用の取手１３が伸縮自在に埋設されている。
【００３０】
（第３実施形態）
さらに、本実施形態の保冷庫４は、システムキッチンの一画である流し台下部に内設され、保冷庫４の前面には、蓋体２９が開閉自在に付設され、その蓋体２９には開閉用のハンドル部１４が付設されている。
【００３１】
（第４実施形態）
図５に示されるように、本実施形態に係る保冷庫３は、保冷庫３に着脱自在に納置された内収納容器２５を有し、その内収納容器２５と保冷庫３の側面１５、上面３１、底面３２、前面３３、後面３５との間には、冷気が通過可能な間隙を有する構成となっている。
また、内収納容器２５の底辺部に冷気取り入れ可能な通気口２７を有し、同じく内収納容器２５の天井部にも冷気取り入れ可能な通気口２８を有している。
【００３２】
以上のように構成された保冷システム１について、以下にその動作、作用、用途等を説明する。
【００３３】
まず、保冷を要する食料品としては、野菜、ワイン等の飲料品、米、キムチ等の漬物類等多品種に及び、各々適正な温度域に管理するために温度センサーを保冷庫３，４に設置するなどして、吸気ファン１９、排気ファン２０、分配機６を制御する。
【００３４】
また、被保冷物が野菜やワイン類等の湿度を要するものは、乾燥を避けるために大量の冷気が被保冷物に直接あたらないように、上記実施形態の様に例えば樹脂製の内収納容器２５を形成して、通気口２７，２８を設ければ良く、直接冷気があたった方が良い被保冷物の場合の内収納容器２５は、金属の線材等で形成した籠状の内収納容器２５で良い。
【００３５】
以上のように本発明よれば、保冷庫、搬送パイプ、空気循環パイプや分配機等を床下に埋設する構成となっているので、床下収納を増設すれば、比較的容易に保冷スペースを確保することができる。
【００３６】
この発明によれば保冷庫は、システムキッチンの一画に内設する構成となっているので、既存のスペースを有効に保冷庫として使用でき、不要の場合は分配機に内設された切換え弁を閉鎖することで、通常の収納庫として使用することもできる。
【００３７】
この発明によれば、冷気誘導条溝を使用するもしくは、内収納容器を利用することで、冷気を有効に利用できる効果がある。
【００３８】
以上のように、本発明を実施するための最良の構成、方法等は、上記記載で開示されているが、本発明は、これに限定されるものではない。
例えば、上記実施形態では、保冷庫は、略矩形状として説明したが、その構成に限定するものではなく、例えば、円筒形の保冷庫であっても良い。
【００３９】
また、上記実施形態では、保冷庫は床下もしくはシステムキッチンの一画に配置するとして説明したが、その構成に限定するものではなく、例えば分配機から冷気を取り出すための搬送パイプを取り付けるジョイント部と、空気循環パイプを取り付ける排気ジョイント部とを床面に設け、クーラーボックス等の保冷庫を各パイプで接続することで設置可能とする構成としても良い。
【符号の説明】
【００４０】
１    保冷システム
２    冷蔵庫
３，４    保冷庫
５    冷気供給口
６    分配機
７    搬送パイプ
８    空気循環パイプ
９    空気循環口
１０    断熱材
１１    真空断熱材
１２    上蓋
１３    取手
１４    ハンドル部
１５    側面
１６    冷気取入れ口
１７    排気口
１８    冷気誘導条溝
１９    吸気ファン
２０    排気ファン
２５    内収納容器
２６    曲面
２７，２８    通気口
２９    蓋体
３０    ガイド板
３１    上面
３２    底面
３３    前面
３４    外壁
３５    後面
【手続補正３】
【補正対象書類名】図面
【補正対象項目名】全図
【補正方法】変更
【補正の内容】
【図１】
2019049392.tif 000011
【図２】
2019049392.tif 000012
【図３】
2019049392.tif 000013
【図４】
2019049392.tif 000014
【図５】
2019049392.tif 000015